(57)【要約】      （修正有）【課題】用を足した後の処理において、衛生面、移動面、処理面にて有効かつ利便効果を得ることのできる完全密閉型トイレ用汚物処理袋の提供。【解決手段】内側に不織布を使用、外側にポリプロピレン生地を使用、不織布とポリプロピレンシートを張り合わせ、内部に吸水性ポリマーを主成分とした消臭・殺菌剤入り凝固薬剤を封入した汚物処理シートを使用、中心部分を折り曲げホームベース型袋状に圧着加工を行ったトイレ用汚物処理袋を、外側に取って付き脱着袋を装着、ポリプロピレン成分、完全ニオイ遮断シートを袋状に加工、袋上部にポリプロピレンひもを取り付け縛ることにより水分、空気を完全に遮断することの可能な完全密封袋を用いたトイレ用外側汚物処理袋の口を縛ることにより完全密封化が実現。先端形状の工夫及び汚物を密封化することにより特殊場面での汚物移動、汚物処理を容易にしかつ、1回ごとの使用取替えが可能であることを特徴とする。【選択図】図４
2007244637.tif 000002
【特許請求の範囲】
【請求項１】
内側に不織布を使用、外側にポリプロピレン生地を使用、不織布とポリプロピレンシートを張り合わせ、内部に吸水性ポリマーを主成分とした消臭・殺菌剤入り凝固薬剤を封入した汚物処理シートを使用、中心部分を折り曲げホームベース型袋状に圧着加工を行ったトイレ用汚物処理袋を内袋とし、取って付き脱着袋を外側に装着した1回使用を前提とした内側汚物処理袋。
【請求項２】
ポリプロピレン成分、完全ニオイ遮断シートを袋状に加工、袋上部にポリプロピレンひもを取り付け縛ることにより水分、空気を完全に遮断することの可能な完全密封袋を用いたトイレ用外側汚物処理袋。
【請求項３】
汚物処理袋内部に特殊吸水袋を添付、全体水分頒布率を30％以下に抑えることにより、家庭用燃えるゴミにて消却可能なトイレ用汚物処理袋。
【発明の詳細な説明】
【技術分野】
【０００１】
し尿用汚物処理袋にて、水分凝固、消臭、ニオイ遮断、殺菌作用を持ち完全密封を基本とした汚物処理にて、トイレし尿処理技術分野に属する。
【背景技術】
【０００２】
従来の技術には、水分凝固、消臭、ニオイ遮断、殺菌作用を持った特殊薬剤を通常のビニール製袋に投下、薬剤効果にて水分凝固、殺菌を行い外側ポリ袋を内側設置ポリ袋に収納して数回処理を行うタイプ。簡易トイレ に装着して使用され、汚物を内部に収容する汚物処理袋であって、防水性を有する素材によって形成された袋体と、該袋体の内面に配設されると共に前記袋体と相互に一体とされた透水性シートと、前記袋体及び前記透水性シートの間に底部にて折返された状態で介在された吸水材とを具備することを特徴とする数回使用を前提とした汚物処理袋。などがある。
【特許文献１】特開２００５−３２３９３５号公報
【発明の開示】
【発明が解決しようとする課題】
【０００３】
ところで前述のような従来の汚物処理袋では用を足した後、何だかの処理袋を必要とする。
【０００４】
また従来のポリプロピレンを主成分としたシートは通気性があり、袋内より臭気、ち散汚物が外部に漏れることが多く、移動が極めて困難である。
【０００５】
その上、数回使用を前提としているため、初回使用後半密封状態にての移動を余儀なくされ、臭気・汚物が漏れる可能性が極めて高い上に衛生上好ましくない。
【０００６】
あと、現状汚物処理袋は大容量使用を前提としているため、薬剤処理能力一杯まで使用することから水分拡散されず、基本的に家庭用燃えるゴミとしての処理に相応しくない。
【０００７】
さらに袋形態が4角形であることが多い現状製品では、使用後汚物自体が片方に寄る傾向が高く、薬剤とうまく結合しにくい場合や横漏れの心配、汚物と処理薬、袋との整合性に欠ける場合が多い。また汚物が中心に来辛い為、処理ボックスや2次的処理箱に収納する場合、汚物形状を均等に整形する必要が生じる。
【０００８】
本考案は上記不具合点を解消し、内側汚物処理袋、外側汚物処理袋と機能を分化することによりし尿時の機能面、利便性だけでなく、用を足した後の処理に重点を置いた、衛生面、移動面、処理面にて有効かつ利便効果を得ることを目的とする。
【課題を解決するための手段】
【０００９】
上記目的を達成するための構成として本発明完全密封型トイレ用汚物処理袋は、内側に不織布を使用、外側にポリプロピレン生地を使用、不織布とポリプロピレンシートを張り合わせ、内部に吸水性ポリマーを主成分とした消臭・殺菌剤入り凝固薬剤を封入した汚物処理シートを使用、中心部分を折り曲げホームベース型袋状に圧着加工を行ったトイレ用汚物処理袋を、外側に取って付き脱着袋を装着、ポリプロピレン成分、完全ニオイ遮断シートを袋状に加工、袋上部にポリプロピレンひもを取り付け縛ることにより水分、空気を完全に遮断することの可能な完全密封袋を用いたトイレ用外側汚物処理袋の口を縛ることにより完全密封化が実現。先端形状の工夫及び汚物を密封化することにより特殊場面での汚物移動、汚物処理を容易にしかつ、1回ごとの使用取替えが可能であることを特徴とする。
【００１０】
上記のように構成した本発明の完全密封型トイレ用汚物処理袋により、汚物の横漏れ、偏りが許されず、完全密封が要求される山岳地域携帯用トイレとして、自家用車等移動手段の簡易トイレに使用するとが可能となる。
【００１１】
また、1回使い切り取替えという機能を生かし、機密性、衛生面で厳しい病院等の院内感染防止用簡易トイレ汚物処理袋としての使用が可能となる。
【００１２】
その上、汚物の処理が容易でありかつし尿漏れが許されない、災害発生断水時の家庭用トイレの代替汚物処理袋としての使用も可能となる。
【発明の効果】
【００１３】
本発明により、アウトドアや登山、防災用として完全密封、簡単汚物処理が要求される場面での使用が可能になる。
【００１４】
また、福祉用簡易トイレ、院内用簡易トイレ等、機密性、衛生面が重視される場面での使用が可能となる。
【００１５】
さらに、ダイオキシンを発生しない素材を使用、汚物を含めて焼却が可能なため、地球環境にも優しい製品でもある。
【００１６】
その上、汚物処理袋先端部が突型であるため、取ってを持った状態にて引力のみでの収納が容易でりあり、処理ボックスや2次的処理箱への収納が容易である。
【発明を実施するための最良の形態】
【００１７】
図1は、本考案製品内部袋の正方向上部全体透視図である。
【００１８】
外側防水ポリプロピレンシート  1  と内側不織布シート  2  の間に吸水性ポリマー、消臭剤、殺菌剤  3  を封入。
【００１９】
外側防水ポリプロピレンシート  1  と内側不織布シート  2  を熱圧着する。
【００２０】
熱圧着され一体化された内側処理シートを半分に折り曲げ、互いの側面を袋状に圧着加工する。その際、上部10ｃｍは開口取り付け部として圧着は行わない。
【００２１】
袋下部両側を縦寸法半分の位置にて90度折り曲げホームベース型に圧着加工する。
【００２２】
その上に取って付き脱着袋  4を装着することにより内側汚物処理袋が完結する。
【００２３】
図２は、外側汚物処理袋  正方向上部正面透視図である。
【００２４】
ポリプロピレンを主成分とした完全空気遮断シートを型抜器により打ち抜き袋状にする。この状態を完全空気遮断密封袋  6  とし、上部開口部に平行にポリプロピレンひも  7  を装着する。
【００２５】
用を済ませた内側汚物処理袋を外側汚物処理袋の中に収納、外側汚物処理袋のポリプロピレンひも  7  を閉めることにより完結する。
【図面の簡単な説明】
【００２６】
【図１】内側汚物処理袋の正方向上部正面透視図である。
【図２】内側汚物処理袋に取って付き脱着袋を装着した正規正方向上部正面透視図である。
【図３】外側汚物処理袋の正方向上部正面透視図である。
【図４】本製品の正方向上部正面解体図である。
【符号の説明】
【００２７】
１   外側防水ポリプロピレンシート
２   内側不織布シート
３   外側防水ポリプロピレンシート・内側不織布シート間吸水性ポリマー、消臭剤、
殺菌剤封入。
4   外側とって付ポリプロピレ袋
５   1次用内部処理袋
６   完全空気遮断密封袋
７   完全密封用ポリプロピレンひも
【図１】
2007244637.tif 000003
【図２】
2007244637.tif 000004
【図３】
2007244637.tif 000005
【図４】
2007244637.tif 000006